(57)【特許請求の範囲】
【請求項１】
動力源とその動力源が出力するトルクによって駆動される駆動対象物とが連結軸によって連結されたフェールセーフ装置において、
前記連結軸は、前記動力源に許容されるトルク以上のトルクが掛かった場合に破断するように構成され、かつ
その連結軸を軸線方向に押圧して、前記連結軸が破断した場合の破断面同士を接触させる弾性力を前記連結軸に付与する弾性機構が設けられている
ことを特徴とするフェールセーフ装置。
【請求項２】
前記連結軸は、その軸線方向における中間部で予め定めた箇所に、他の箇所より捩り破断強度が低い脆弱部を備えていることを特徴とする請求項１に記載のフェールセーフ装置。
【請求項３】
前記動力源は、モータを含み、
前記駆動対象物は、車両における車輪を含み、
前記モータは車輪毎に設けられている
ことを特徴とする請求項１または２に記載のフェールセーフ装置。
【請求項４】
前記弾性機構は、前記連結軸の少なくとも一端部側に配置され、かつその連結軸を軸線方向に押圧する弾性部材を含み、
その弾性部材の弾性係数は、前記連結軸が破断した場合の前記破断面同士を互いに圧着させ、かつ前記動力源と前記駆動対象物とが互いにトルクを少なくとも伝達させるように、前記連結軸を軸線方向に押圧するよう構成されている
ことを特徴とする請求項１ないし３のいずれかに記載のフェールセーフ装置。
【請求項５】
前記連結軸の破断を判断する連結軸破断検出手段と、
この連結軸破断検出手段における判断結果に基づいて、前記動力源で発生するトルクを停止させる動力源停止制御手段と、
この動力源停止制御手段に基づいて、車両の停止を判断する車両停止検出手段と、
前記車両停止検出手段における車両の停止判断に基づいて、前記動力源で発生するトルクを制限する動力源トルク制御手段と
を備えていることを特徴とする請求項１ないし４のいずれかに記載のフェールセーフ装置。
【発明の詳細な説明】
【技術分野】
【０００１】
この発明は、動力源とその動力源が出力するトルクによって駆動される駆動対象物とが連結軸によって連結された機構のフェールセーフ装置に関するものである。
【背景技術】
【０００２】
近年、動力源として、内燃機関と電動機とを備えたいわゆるハイブリッド車両や、車輪のホイール内部もしくはその近傍に電動機を配置してその電動機により車輪を直接駆動するいわゆるインホイールモータ方式の車両（インホイールモータ車）などが開発されている。このようなインホイールモータ車は、電動機が駆動輪のホイール内部もしくはその近傍に設けられて駆動輪に直接動力を伝達するものであるから、従来の車両に設けられている変速機やデファレンシャルなどの動力伝達機構を設ける必要がなくなり、車両の構成を簡素化することができる。
【０００３】
内燃機関や電動機などの動力源を備えた車両は、例えば、凹凸が大きい悪路や障害物がある路面を走行する際に、走行路面からの過大なトルクの入力や、動力源と車輪との間の駆動系統におけるギヤの噛み込みなどのフェールが生じた場合に、パワートレインの負荷が大きくなってしてしまうおそれがある。
【０００４】
特許文献１には、何らかの原因によりパワートレインに作用する負荷が急増したときでも、最小のコストにより修理することができることを目的としたモータ駆動車両に関する発明が記載されている。この特許文献１に記載された発明は、モータとそのモータの出力を変速する減速機とを連結するジョイント部材とその減速機の出力により回転する駆動輪とを備え、パワートレインに所定以上のトルクが作用した場合に、ジョイント部材の脆弱部が破断することにより減速機とモータとの間の動力伝達が遮断されるように構成されている。
【０００５】
また、特許文献２には、ホイールが外力を受けて変形した場合であっても、減速機への外力の作用を緩和し、減速機およびモータを確実に保護することを目的としたインホイールモータに関する発明が記載されている。この特許文献２に記載された発明は、モータと、そのモータの出力を変速する減速機と、その減速機の出力により回転するホイールと、それら減速機とホイールとを連結する連結軸とを備え、減速機がモータを中心にホイールと反対側に配置されるとともに、ホイールに所定以上の外力が作用した場合に、減速機とホイールとの間の動力伝達が遮断されるように構成されている。
【０００６】
さらに、特許文献３には、各輪が独立駆動される車両において、駆動源に異常が発生したとき、車両の走行安定性への影響を軽減しつつ駆動源の制御を停止するように構成された制御装置が記載されている。
【先行技術文献】
【特許文献】
【０００７】
【特許文献１】特開２００９−１９２０４４号公報
【特許文献２】国際公開第２００５／０２３５７５号
【特許文献３】特開２００６−０６７６６９号公報
【発明の概要】
【発明が解決しようとする課題】
【０００８】
特許文献１や特許文献２に記載されているようなモータ駆動車両は、動力源と駆動対象物との動力伝達が遮断されるように構成されているため、パワートレインに過剰なトルクが掛かることを防止することができる。しかし、その反面、モータから車輪へと動力が伝わらないことにより、動力遮断後の車両を移動させるためには、車両はけん引されるか、または他の駆動経路を設けて自走させるなどの必要があり、この点での改善の余地がある。また、特許文献３に記載されている制御装置に関する発明は、駆動源に異常が生じた車両を安全に停止させるものであるが、動力源と駆動対象物との動力伝達が遮断されるように構成されていない。
【０００９】
この発明は上記の技術的課題に着目してなされたものであって、パワートレインに所定以上のトルクが作用し、動力源とその動力源が出力するトルクによって駆動される駆動対象物との動力伝達が遮断された場合に、制限された範囲でトルクの伝達が可能なフェールセーフ装置を提供することを目的とするものである。
【課題を解決するための手段】
【００１０】
上記の目的を達成するために、請求項１の発明は、動力源とその動力源が出力するトルクによって駆動される駆動対象物とが連結軸によって連結されたフェールセーフ装置において、前記連結軸は、前記動力源に許容されるトルク以上のトルクが掛かった場合に破断するように構成され、かつその連結軸を軸線方向に押圧して、前記連結軸が破断した場合の破断面同士を接触させる弾性力を前記連結軸に付与する弾性機構が設けられていることを特徴とするフェールセーフ装置である。
【００１１】
また、請求項２の発明は、請求項１の発明において、前記連結軸は、その軸線方向における中間部で予め定めた箇所に、他の箇所より捩り破断強度が低い脆弱部を備えていることを特徴とするフェールセーフ装置である。
【００１２】
また、請求項３の発明は、請求項１または２の発明において、前記動力源は、モータを含み、前記駆動対象物は、車両における車輪を含み、前記モータは車輪毎に設けられていることを特徴とするフェールセーフ装置である。
【００１３】
また、請求項４の発明は、請求項１ないし３のいずれかの発明において、前記弾性機構は、前記連結軸の少なくとも一端部側に配置され、かつその連結軸を軸線方向に押圧する弾性部材を含み、その弾性部材の弾性係数は、前記連結軸が破断した場合の前記破断面同士を互いに圧着させ、かつ前記動力源と前記駆動対象物とが互いにトルクを少なくとも伝達させるように、前記連結軸を軸線方向に押圧するよう構成されていることを特徴とするフェールセーフ装置である。
【００１４】
さらに、請求項５の発明は、請求項１ないし４のいずれかの発明において、前記連結軸の破断を判断する連結軸破断検出手段と、この連結軸破断検出手段における判断結果に基づいて、前記動力源で発生するトルクを停止させる動力源停止制御手段と、この動力源停止制御手段に基づいて、車両の停止を判断する車両停止検出手段と、前記車両停止検出手段における車両の停止判断に基づいて、前記動力源で発生するトルクを制限する動力源トルク制御手段とを備えていることを特徴とするフェールセーフ装置である。
【発明の効果】
【００１５】
この発明によれば、動力源とその動力源が出力するトルクによって駆動される駆動対象物とが連結軸によって連結され、その連結軸は、動力源に許容されるトルク以上のトルクが掛かった場合に破断するように構成されている。さらに、その連結軸を軸線方向に押圧して、連結軸が破断した場合の破断面同士を接触させる弾性力を連結軸に付与する弾性機構が設けられている。したがって、例えば、凹凸が大きい悪路や障害物がある路面を車両が走行する際に、走行路面からの過大なトルクの入力が生じた場合に、連結軸が破断することで動力源と車輪との動力伝達は遮断されるため、パワートレインの負荷が急増することを防止することができる。また、連結軸が破断した場合、連結軸の破断面同士を接触させる弾性機構が設けられているため、動力源と車輪との動力伝達は可能となり、その結果、車輪を駆動させることができる。
【００１６】
特に、請求項５の発明によれば、連結軸破断検出手段と動力源停止制御手段と車両停止検出手段と動力源トルク制御手段とを備えている。したがって、例えば、走行中に連結軸が破断した場合に、車両の停止が確認されるまで駆動源の制御を停止させることができ、その結果、連結軸の破断面同士による摩耗を抑制することができる。また、車両の停止が確認された場合、駆動源の制御を限定的に復帰させることができるため、車両を自走させることができる。
【図面の簡単な説明】
【００１７】
【図１】この発明におけるフェールセーフ装置の一例を示す模式図である。
【図２】この発明における制御を実行可能な車両の構成例を示す概念図である。
【図３】この発明におけるフェールセーフ装置の一例における破断状態を示す模式図である。
【図４】この発明におけるフェールセーフ装置の他の例を示す模式図である。
【図５】この発明における制御の一例を示すフローチャートである。
【図６】この発明により動力源の出力を制限した領域と制限していない領域とを示す線図である。
【発明を実施するための形態】
【００１８】
つぎに、この発明を具体例を参照して説明する。図２には、この発明におけるフェールセーフ装置を適用したインホイールモータ車の一例を模式的に示している。そのインホイールモータ１は、車両を走行させる駆動トルクを出力するためのものであり、誘導モータなどのモータ２がケーシング３の内部に収納されている。すなわち、このインホイールモータ１のモータ２は、車両の駆動力源であって、出力トルクを、車両を前進させる際の回転方向である正転方向と、その正転方向とは反対の回転方向である逆転方向とに選択的に切り替えることができる電動機である。ケーシング３にアーム部材４を取り付けることで、インホイールモータ１は、そのアーム部材４を介して車体（図示せず）に連結されて支持されている。モータ２には、トルクを出力する出力軸５が設けられている。これらのモータ２と出力軸５とは、所定の変速比に設定された減速機などの伝動機構６を介して連結されている。さらに、その出力軸５とホイールハブ７（ホイール取付部）の軸部８とが連結部材９（連結軸）によって連結されており、そのホイールハブ７にホイール１０が装着されている。また、ホイール１０とその外周部に設けられているリム１１とから構成され、そのリム１１にタイヤ１２を取り付けるように構成されている。そして、このホイール１０の内周部分であって、ホイール１０と同軸上にインホイールモータ１が配置されている。言い換えると、車輪Ｗのホイール１０に、インホイールモータ１が内蔵されている。また、インホイールモータ１は、車輪毎に設けられている。なお、この発明は上述したインホイールモータ車のインホイールモータの構造に限定されない。さらに、この発明における動力源は内燃機関や電動機でもよく、つまり、電気自動車、ハイブリッド車、燃料電池自動車、ならびに通常エンジンを搭載したいわゆるコンベ車などにも適用することができる。
【００１９】
この発明における連結軸は、動力源とその動力源が出力するトルクによって駆動される駆動対象物とを連結するように構成されている。図１を用いて、この発明における連結軸をさらに具体的に説明する。この発明に係る連結軸９は、その一例として、出力軸５とホイールハブ７の軸部８とを連結するように構成されている。連結軸９は、動力源２に許容されるトルク以上のトルクが掛かった場合に破断するように形成されている。また、図３に示すように、その連結軸９を軸線方向に押圧して、連結軸９が破断した場合の破断面同士１３を接触させる弾性力を連結軸９に付与する弾性機構１４が設けられている。なお、連結軸９は、その軸線方向における中間部で予め定めた箇所に、他の箇所より捩り破断強度が低い脆弱部１５を備えていてもよい。さらに、図４に示すように、連結軸９は、その軸線方向で中間部に破断容易部１６が設けられていてもよい。
【００２０】
この発明における弾性機構１４は、連結軸９の少なくとも一端部側に配置され、かつその連結軸を軸線方向に押圧する弾性部材１４（例えばスプリング）を含む。また、弾性部材１４の弾性係数は、連結軸９が破断した場合の破断面同士１３を互いに圧着させ、かつリンプホーム走行が可能な必要トルクを伝達できるように、連結軸９を軸線方向に押圧する必要圧着力が設定されている。その具体例をあげると、この発明に係る弾性部材（スプリング）のバネ定数Ｋは、一輪あたりの必要駆動力Ｔ、連結軸が破断した場合の破断面同士を圧着する必要圧着力Ｆｓ、ホイールの半径ｒ、連結軸が破断した場合の破断面の摩擦係数μ、破断面平均半径Ｄｍ、連結軸が破断した場合のその半径方向の断面積Ａ、ならびにスプリングの自由長から連結軸を押圧している時のスプリングの長さを差し引いた長さｌより、
Ｋ＝Ｆｓ／ｌ                  …（１）
Ｆｓ＝２Ｔ／（μ・Ｄｍ・Ａ）  …（２）
Ｔ＝Ｆ・ｒ                    …（３）
として表すことができる。なお、弾性機構は、連結軸の少なくとも一端部側に配置され、かつその連結軸を軸線方向に押圧するように構成されていればよく、例えば、油圧装置でもよい。
【００２１】
つぎに、破断した場合のトルク制御を行う装置について説明する。この制御装置（図示せず）は、動力源から生じるトルクが駆動対象物へ伝達されている際に、動力源と駆動対象物とを連結する連結部材が破断した場合に、連結部材の破断部に摩耗が生じるのを抑制し、駆動源を制御するよう構成されている。フローチャートである図５を用いて制御の流れを説明すると、まず、連結軸の破断もしくはパワートレインの負荷の急増などを検知（測定または予測）するセンサやスイッチの信号が入力され、連結軸が破断しているかを判断する（ステップＳ１）。連結軸９が破断していることによりこのステップＳ１で肯定的に判断された場合には、動力源２の制御を停止する（ステップＳ２）。なお、連結軸９の破断が検知されないことによりステップＳ１で否定的に判断された場合には、特に制御を行うことなくリターンする。制御装置は、この動力源停止制御（ステップＳ２）と動力源に生じるトルクもしくは回転数または駆動対象物の回転または車速もしくは車両停止の有無などを検知（測定または予測）するセンサやスイッチの信号入力とに基づいて、車両の停止を判断する（ステップＳ３）。車両停止検出（ステップＳ３）における車両の停止判断に基づいて、動力源で発生するトルクもしくは回転数を制限する（ステップＳ４）。なお、車両の停止判断が成立していないことによりステップＳ３で否定的に判断された場合には、ステップＳ２に戻って従前の制御状態を維持する。
【００２２】
さらに、図５に示すフローチャートの動力源トルク制御（ステップＳ４）に対応するモータ制御の一例を図６に基づいて説明する。図６は動力源の回転数とトルクを模式的に表しており、その横軸は動力源の回転数Ｎを、その縦軸は動力源のトルクＴを表している。制御装置は、連結軸が破断していない場合は、動力源の回転数とトルクとを通常領域Ａで制御しているが、連結軸が破断し車両が停止した場合は、動力源を低速かつ低負担で稼動させるため、動力源の回転数とトルクとを制限領域Ｂで制御するように構成されている。
【００２３】
次に、この発明に係るフェールセーフ装置の作用について説明する。この発明におけるフェールセーフ装置を適用したインホイールモータ車が、例えば、凹凸が大きい悪路や障害物がある路面を走行する際に、車輪Ｗを介して走行路面からの過大なトルク（動力源２に許容されるトルク以上のトルク）の入力が生じた場合、そのトルクがホイールハブ７の軸部８を介して出力軸５に伝達される。ホイールハブ７の軸部８と出力軸５とを連結する連結軸９は、動力源２に許容されるトルク以上のトルクが掛かった場合に破断するため、その結果、動力源２と車輪Ｗとの動力伝達は遮断することができ、パワートレインの負荷が急増することを防止することができる。
【００２４】
さらに、制御装置は、連結軸破断検出（ステップＳ１）における判断結果に基づいて、動力源の制御を停止させる（ステップＳ２）ため、車両の停止が確認されるまで駆動源の制御を停止させることができ、その結果、連結軸の破断面同士による摩耗を抑制することができ、また安全に車両を停止させることができる。
【００２５】
また、連結軸９が破断し、かつ車両の停止が制御装置によって確認された（ステップＳ３）場合に、その連結軸９を軸線方向に押圧して破断面同士１３を接触させる弾性機構１４が設けられているため、動力源２と車輪Ｗとの動力伝達は少なからず可能となり、その結果、車輪Ｗを駆動させることができる。さらに、制御装置によってトルクもしくは回転数を制限しつつ動力源２を復帰させる（ステップＳ４）ため、連結軸９の破断面同士１３による摩耗を抑制しながら、車両を自走させることができる。
【００２６】
なお、この発明は上述した具体例に限定されず、動力源とその動力源が出力するトルクによって駆動される駆動対象物とが連結軸によって連結されたフェールセーフ装置に適用することができる。この発明に係るフェールセーフ装置は、要は、車両や航空機、船舶、産業用機械など、回転することにより動力を伝達する機械・装置類に用いることができる。
【符号の説明】
【００２７】
２…動力源、  ９…連結軸（連結部材）、  １３…破断面、  １４…弾性機構、  Ｗ…駆動対象物。
【図１】
0005533682.tif 000002
【図２】
0005533682.tif 000003
【図３】
0005533682.tif 000004
【図４】
0005533682.tif 000005
【図５】
0005533682.tif 000006
【図６】
0005533682.tif 000007